【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
水平面上に端縁で安定に支持し得る軽量で剛性の第１の壁であって、その両端に１対の略垂直の側端縁を、それらの間に延在する湾曲した上端縁及び下端縁を有する第１の壁と、
前記第１の壁と係合する周縁部分と、少なくとも１つの食品収容領域を画定する少なくとも１つの内側部分を有する第２の壁と、
前記少なくとも１つの食品収容領域に置かれた少なくとも１つのある量の食品と、
を備える直立型のパッケージ化された食品であって、
前記パッケージ化された食品は、前記１対の側端縁間の距離で決まる幅と、前記側端縁の長さで決まる高さを有し、
前記パッケージ化された食品は、その製品を他の同様の製品とネストすることができるように構成された相補的な正面及び背面を有し、一方が凹面で他方が凸面であり、
前記パッケージ化された食品は、前記下端縁が非線形になるように前記側端縁間で湾曲されるために弓形を成し、
前記下端縁は前記側端縁の間に安定化点を有するとともに、（１）前記下端縁の終端を結ぶ第１の線と（２）前記安定化点との間の距離で決まる深さを有し、
前記パッケージ化された食品は、更に、前記第１の線と前記下端縁の安定化点との間に位置する質量中心を有するため、前記パッケージ化された食品が水平面上に端縁で直立するとき、前記第１の線に垂直の平面内で前記第１の線から前記質量中心へ伸びる第２の線は水平に対して角度αを成し、前記第１の線に垂直の平面内で前記安定化点から前記質量中心へ伸びる第３の線は水平に対して角度βを成し、角度α及びβの各々は９０度より小さい、
ことを特徴とするパッケージ化された食品。
【請求項２】
前記下端縁は円弧をなし、その円弧はその両端における１対の接線が約４０°〜１００°の角度θで交差する、ことを特徴とする請求項１記載のパッケージ化された食品。
【請求項３】
前記パッケージは、約４インチ〜約７インチの高さ、約０．６インチ〜約２．３インチの深さ及び約６インチ〜約１２インチの幅を有する、ことを特徴とする請求項２記載のパッケージ化された食品。
【請求項４】
前記幅は前記高さより大きく、前記パッケージ化された食品は約２：１〜２０：１の幅対深さ比を有する、ことを特徴とする請求項３記載のパッケージ化された食品。
【請求項５】
前記パッケージ化された食品は更に、その第１の壁を消費者に向けて展示することができるように、小売展示セッティングにおいて消費者への提示に適した前記第１の壁及び前記第２の壁の一方又は両方にグラフィックスを備える、ことを特徴とする請求項１記載のパッケージ化された食品。
【請求項６】
前記パッケージ化された食品は更に、その第２の壁を消費者に向けて展示することができるように、小売展示セッティングにおいて消費者への提示に適した前記第１の壁及び前記第２の壁の一方又は両方にグラフィックスを備える、ことを特徴とする請求項１記載のパッケージ化された食品。
【請求項７】
前記パッケージ化された食品は約４：２．３〜約７：０．６の高さ対深さ比を有する、ことを特徴とする請求項４記載のパッケージ化された食品。
【請求項８】
前記少なくとも１つの内部領域は２つの個別の内部領域を備える、ことを特徴とする請求項７記載のパッケージ化された食品。
【請求項９】
前記第１の壁及び前記第２の壁はそれらを通して前記食品を略完全に見る、ことを可能にし、前記パッケージ化された食品はパッケージ化材料の２つの層のみを含み、前記第２の壁は約１２ミル以下、即ち約０．０１２インチ以下の厚さを有し、前記第１の壁は約４０ミル、即ち０．０４０インチ以下の厚さを有する、ことを特徴とする請求項８記載のパッケージ化された食品。
【請求項１０】
前記食品は、シングルスライスのデリミート食品を含み、前記可撓性フィルムは前記食品の形に順応し、前記食品は前記パッケージ内に真空密封され、前記パッケージ化された食品は約１インチ以下の厚さを有する、ことを特徴とする請求項９記載のパッケージ化された食品。
【請求項１１】
水平面上に端縁で安定に支持し得る軽量で剛性の壁であって、両端に１対の側端縁を有するとともにそれらの間に延在する上端縁及び下端縁を有する壁と、
前記剛性の壁の上に置かれ、この壁で支持される食品と、
前記剛性壁と協働して前記食品の全体を覆って真空密封され、前記食品の周囲にハーメチックシールを形成する可撓性フィルムと、
を備える直立型のパッケージ化された食品であって、
前記パッケージ化された食品は、その製品を他の同様の製品とネスト及びスタックすることができるように構成された凹面状の第１の表面と凸面状の第２の表面を有し、
前記パッケージ化された食品は、前記下端縁が非線形になるように前記側端縁間で湾曲されるために弓形を成し、前記下端縁は前記側端縁の間に安定化点を有するとともに、（１）前記下端縁の終端を結ぶ第１の線と（２）前記安定化点との間の距離で決まる深さを有し、
前記パッケージ化された食品は、更に、前記第１の線と前記安定化点との間に位置する質量中心を有するため、前記製品が水平面上に端縁で立つとき、前記第１の線に垂直の平面内で前記第１の線から前記質量中心へ伸びる第２の線は水平に対して角度αを成し、前記第１の線に垂直の平面内で前記安定化点から前記質量中心へ伸びる第３の線は水平に対して角度βを成し、角度α及びβの各々は９０度より小さい、
ことを特徴とするパッケージ化された食品。
【請求項１２】
前記下端縁は一連の直列に接続された線分を備える、ことを特徴とする請求項１１記載のパッケージ化された食品。
【請求項１３】
前記パッケージ化された食品は連続的に湾曲され、その下端縁は円弧をなし、その円弧はその両端における１対の接線が約４０°〜１００°の角度θで交差し、前記剛性壁は円筒の一部分として形成され、前記可撓性フィルムは前記食品の形に一致するように形づけられる、ことを特徴とする請求項１１記載のパッケージ化された食品。
【請求項１４】
前記パッケージ化された食品は約１インチ以下の最大厚さを有する、ことを特徴とする請求項１１記載のパッケージ化された食品。
【請求項１５】
両端に１対の略垂直の側端縁を、それらの間に上端縁及び下端縁を有する軽量の第１の壁と、
前記第１の壁と係合し、前記第１の壁との間に少なくとも１つの食品収容領域を画定する第２の壁と、
前記少なくとも１つの食品収容領域内に置かれた少なくとも１つのある量の食品と、を備える直立型のパッケージ化された食品であって、
前記パッケージ化された食品は、前記１対の側端縁の間の距離で決まる幅と、前記側端縁の長さで決まる高さを有すること、
前記パッケージ化された食品は、前記下端縁が非線形になるように前記側端縁間で湾曲されるために弓形を成し、前記下端縁は前記側端縁の間に安定化点を有するとともに、（１）前記下端縁の終端を結ぶ第１の線と（２）前記安定化点との間の距離で決まる深さを有し、
前記パッケージ化された食品は、更に、前記第１の線と前記下端縁の安定化点との間に位置する質量中心を有するため、前記パッケージ化された食品が水平面の上に端縁で直立するとき、前記第１の線に垂直の平面内で前記第１の線から前記質量中心へ伸びる第２の線は水平に対して角度αを成し、前記第１の線に垂直の平面内で前記安定化点から前記質量中心へ伸びる第３の線は水平に対して角度βを成し、角度α及びβの各々は９０度より小さい、
ことを特徴とするパッケージ化された食品。  
【請求項１６】
略水平の上壁及び底壁を更に備え、前記パッケージ化された食品は他の同様のパッケージ化された食品と、１つのパッケージ化された食品の底壁を別のパッケージ化された食品の上壁の上に置くことによって、スタックすることができる、ことを特徴とする請求項１５記載のパッケージ化された食品。
【請求項１７】
前記幅は前記高さより大きい、ことを特徴とする請求項１５記載のパッケージ化された食品。
【請求項１８】
前記下端縁は円弧を成し、その円弧はその両端における１対の接線が約４０°〜１００°の角度θで交差する、ことを特徴とする請求項１５記載のパッケージ化された食品。
【請求項１９】
前記下端縁は一連の直列に接続された線分を備える、ことを特徴とする請求項１５記載のパッケージ化された食品。
【請求項２０】
前記第１の壁は略凹面状の前面と略凸面状の背面を有する、ことを特徴とする請求項１５記載のパッケージ化された食品。
【請求項２１】
前記第１の壁は略凸面状の前面と略凹面状の背面を有する、ことを特徴とする請求項１５記載のパッケージ化された食品。
【請求項２２】
前記第１の壁は薄い可撓性材料で作られ、最上部から最下部まで略垂直であり、前記第２の壁は剛性材料で作られ、前記第２の壁は略垂直の上部及び下部、及びそれらの間に形成された食品収容領域を画定する１以上の空洞を有する、ことを特徴とする請求項１５記載のパッケージ化された食品。
【請求項２３】
前記第２の壁は薄い可撓性材料で作られ、最上部から最下部まで略垂直であり、前記第１の壁は剛性材料で作られ、前記第１の壁は略垂直の上部及び下部、及びそれらの間に形成された１以上の空洞を有し、前記１以上の空洞は食品収容領域を画定するとともに、前記パッケージ化された食品を代替姿勢で支持し得る表面も画定する、ことを特徴とする請求項１５記載のパッケージ化された食品。
【請求項２４】
前記第２の壁と前記第１の壁はホットメルト又はグルーの塗布で互いに接合される、ことを特徴とする請求項１５記載のパッケージ化された食品。
【請求項２５】
前記第１の壁と前記第２の壁の間の前記食品収容領域はガス置換される、ことを特徴とする請求項１５記載のパッケージ化された食品。
【請求項２６】
前記少なくとも１つの食品収容領域内に配置される前記少なくとも１つのある量の食品は別の袋に真空包装された食品である、ことを特徴とする請求項１５記載のパッケージ化された食品。
【請求項２７】
前記少なくとも１つの食品収容領域は互いに分離し得る複数の製品収容領域を備える、ことを特徴とする請求項１５記載のパッケージ化された食品。
【請求項２８】
前記食品収容領域の間に孔が設けられている、ことを特徴とする請求項２７記載のパッケージ化された食品。
【請求項２９】
１以上の周縁に沿って刻印メッセージを更に備える、ことを特徴とする請求項１５記載のパッケージ化された食品。
【請求項３０】
ペグへの吊り下げを容易にする手段を更に備える、を特徴とする請求項１５記載のパッケージ化された食品。